【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
第１のユーザから、第１のメディアアセットへのアクセスを制限する第１の動作を受信することと、
第２のメディアアセットに対して行われる第２の動作を受信することであって、該第２のアセットは、該第１のアセットの属性と同様である１つ以上の属性を有する、ことと、
該第１の動作が、該第２のアセットのアクセス可能性と一致しないことを検出することによって、該第１の動作と該第２の動作との間の不一致を検出することと、
該第１の動作と該第２の動作との間の該不一致に関して該第１のユーザに警告することと
を含む、方法。
【請求項２】
いずれかまたは両方のアセットのコンテンツプロバイダ、または、いずれかまたは両方のアセットと関連するスポンサに、検出した不一致を報告することをさらに含む、請求項１に記載の方法。
【請求項３】
いずれかまたは両方のアセットに関して以前に送信された他のレポートを視認する選択肢を、前記第１のユーザに提供することをさらに含む、請求項２に記載の方法。
【請求項４】
前記第２の動作は、ユーザによって行われる動作である、請求項１に記載の方法。
【請求項５】
前記第２の動作は、前記第１のユーザとは異なる第２のユーザによって行われる動作であり、前記第１の動作と第２の動作との間の不一致を検出することは、該第１のユーザと関連する第１のプロファイルを、該第２のユーザと関連する第２のプロファイルと比較することを含む、請求項１に記載の方法。
【請求項６】
前記第２の動作は、利用可能なアセットのデータベースへの前記第２のアセットの追加、または該第２のアセットの１つ以上の属性の修正である、請求項１に記載の方法。
【請求項７】
前記第１の動作を逆転させるように前記第１のユーザを促すことをさらに含む、請求項１に記載の方法。
【請求項８】
前記第１の動作に起因する変更の適正な一部を取り消すように前記第１のユーザを促すことをさらに含む、請求項１に記載の方法。
【請求項９】
前記第１のユーザが前記第２のアセットへのアクセスを制限することを可能にすることを含む、請求項１に記載の方法。
【請求項１０】
前記不一致を検出することは、
メモリから前記第１のアセットと関連する第１の一式の属性を取り出すことと、
複数のアセットの間で、該第１の一式の属性と同様である１つ以上の属性を有する前記第２のアセットを検索することと、
前記第１の動作を、該第２のアセットに関して行われる前記第２の動作と比較することと、
該比較および同様である該１つ以上の属性に基づいて、該第１の動作が該第２の動作と一致しないかどうかを決定することと
を含む、請求項１に記載の方法。
【請求項１１】
制御回路を備えるシステムであって、
該制御回路は、
第１のユーザから、第１のメディアアセットへのアクセスを制限する第１の動作を受信することと、
第２のメディアアセットに対して行われる第２の動作を受信することであって、該第２のアセットは、該第１のアセットの属性と同様である１つ以上の属性を有する、ことと、
該第１の動作と該第２の動作との間の不一致を検出することであって、該第１の動作が該第２の動作のアクセス可能性と一致しないことを検出することを含む、ことと、
該第１の動作と該第２の動作との間の該不一致に関して該第１のユーザに警告することと
を行うように、構成される、システム。
【請求項１２】
前記制御回路は、いずれかまたは両方のアセットのコンテンツプロバイダ、または、いずれかまたは両方のアセットと関連するスポンサに、前記検出した不一致を報告するようにさらに構成される、請求項１１に記載のシステム。
【請求項１３】
前記制御回路は、いずれかまたは両方のアセットに関して以前に送信された他のレポートを視認する選択肢を、前記第１のユーザに提供するようにさらに構成される、請求項１２に記載のシステム。
【請求項１４】
前記第２の動作は、ユーザによって行われる動作である、請求項１１に記載のシステム。
【請求項１５】
前記第２の動作は、該第１のユーザとは異なる第２のユーザによって行われる動作であり、
前記制御回路はさらに、該第１のユーザと関連する第１のプロファイルを、該第２のユーザと関連する第２のプロファイルと比較するように構成される、請求項１１に記載のシステム。
【請求項１６】
前記第２の動作は、利用可能なアセットのデータベースへの前記第２のアセットの追加、または該第２のアセットの１つ以上の属性の修正である、請求項１１に記載のシステム。
【請求項１７】
前記制御回路は、前記第１の動作を逆転させるように前記第１のユーザを促すようにさらに構成される、請求項１１に記載のシステム。
【請求項１８】
前記制御回路は、前記第１の動作に起因する変更の適正な一部を取り消すよう前記第１のユーザを促すようにさらに構成される、請求項１１に記載のシステム。
【請求項１９】
前記制御回路は、前記第１のユーザが、前記第２のアセットへのアクセスを制限することを可能にするように構成される、請求項１１に記載のシステム。
【請求項２０】
前記制御回路は、
メモリから前記第１のアセットと関連する第１の一式の属性を取り出すことと、
複数のアセットの間で、該第１の一式の属性と同様である１つ以上の属性を有する前記第２のアセットを検索することと、
前記第１の動作を、前記第２のアセットに関して行われる前記第２の動作と比較することと、
該比較および同様である該１つ以上の属性に基づいて、該第１の動作が該第２の動作と一致しないかどうかを決定することと
を行うようにさらに構成される、請求項１１に記載のシステム。
【手続補正２】
【補正対象書類名】明細書
【補正対象項目名】００１１
【補正方法】変更
【補正の内容】
【００１１】
ユーザは、第２のデバイスを通してコンピュータによってホストされたウェブサイトにログオンし得る。コンピュータは、ユーザと関連するフィードバック キューまたはメモリの中のフィードバック要求入力の存在を検出し得る。コンピュータは、フィードバック要求入力のうちの１つ以上を取り出し、第２のデバイスにフィードバック要求を提供し得る。ユーザは、ウェブサイトを通して、第２のデバイスにおける特定のフィードバック要求入力と関連するアセットに関する フィードバックを提供するように、第２のデバイスにおいて促され得る。ユーザは、ウェブサイト形態で種々のフィードバック選択肢（テキスト入力フィールドを含む）を選択することによって、アセットに関する詳細なフィードバックを提供し得る。フィードバックは、アセットのメディアプロバイダに、および／また はアセットと関連する任意のスポンサまたは広告主に提供され得る。
本発明は、例えば、以下の項目を提供する。
（項目１）
第１のユーザから、第１のメディアアセットへのアクセスを制限する第１の動作を受信することと、
第２のメディアアセットに対して行われる第２の動作を受信することであって、該第２のアセットは、該第１のアセットの属性と同様である１つ以上の属性を有する、ことと、
該第１の動作が、該第２のアセットのアクセス可能性と一致しないことを検出することによって、該第１の動作と該第２の動作との間の不一致を検出することと、
該第１の動作と該第２の動作との間の該不一致に関して該第１のユーザに警告することと
を含む、方法。
（項目２）
いずれかまたは両方のアセットのコンテンツプロバイダ、または、いずれかまたは両方のアセットと関連するスポンサに、検出した不一致を報告することをさらに含む、項目１に記載の方法。
（項目３）
いずれかまたは両方のアセットに関して以前に送信された他のレポートを視認する選択肢を、前記第１のユーザに提供することをさらに含む、項目２に記載の方法。
（項目４）
前記第２の動作は、ユーザによって行われる動作である、項目１に記載の方法。
（項目５）
前記第２の動作は、前記第１のユーザとは異なる第２のユーザによって行われる動作であり、前記第１の動作と第２の動作との間の不一致を検出することは、該第１のユーザと関連する第１のプロファイルを、該第２のユーザと関連する第２のプロファイルと比較することを含む、項目１に記載の方法。
（項目６）
前記第２の動作は、利用可能なアセットのデータベースへの前記第２のアセットの追加、または該第２のアセットの１つ以上の属性の修正である、項目１に記載の方法。
（項目７）
前記第１の動作を逆転させるように前記第１のユーザを促すことをさらに含む、項目１に記載の方法。
（項目８）
前記第１の動作に起因する変更の適正な一部を取り消すように前記第１のユーザを促すことをさらに含む、項目１に記載の方法。
（項目９）
前記不一致の理由に関する情報を供給するようにユーザを促すことをさらに含む、項目１に記載の方法。
（項目１０）
前記情報を供給するようにユーザを促すことは、複数のフィードバック選択肢を表示することを含み、前記方法はさらに、該フィードバック選択肢のうちの少なくとも１つのユーザ選択を受信することを含む、項目９に記載の方法。
（項目１１）
前記フィードバック選択肢のうちの少なくとも１つは、前記第１または第２のアセットに関するフィードバックを提供し、該フィードバック選択肢は、猥褻、評定の不正確性または不適切性、少数派または女性にとっての不快、宗教的不寛容、差別、動物虐待、および不道徳に関する選択肢から成る群より選択される、項目１０に記載の方法。
（項目１２）
前記フィードバック選択肢のうちの少なくとも１つは、前記ユーザが前記第１または第２のアセットに対する評定または副評定を提案することを可能にする、項目１０に記載の方法。
（項目１３）
ユーザから前記不一致の理由に関する情報を受信することと、
いずれかまたは両方のアセットのコンテンツプロバイダ、または、いずれかまたは両方のアセットと関連するスポンサに、該受信した情報を供給することと
をさらに含む、項目１に記載の方法。
（項目１４）
前記第１のユーザが前記第２のアセットへのアクセスを制限することを可能にすることを含む、項目１に記載の方法。
（項目１５）
前記第１のアセットの属性と同様である前記第２のアセットの属性は、評定、副評定、ジャンル、シリーズのメンバーシップ、お気に入りのメンバーシップ、ブックマークした状態、タグ付けした状態、ＤＶＲ視聴状態、サービスの種類、チャネル関連性、ウェブサイト関連性、または一般視聴状態である、項目１に記載の方法。
（項目１６）
前記第２のアセットの属性は、前記第１のアセットの属性の値と同等である値を有する、項目１５に記載の方法。
（項目１７）
前記第１のアセットの属性と同様である前記第２のアセットの属性は、前記第１のアセットに対して、フィードバックが以前に提供されているかどうかを示す状態である、項目１に記載の方法。
（項目１８）
前記第２の動作は、不動作である、項目１に記載の方法。
（項目１９）
前記不動作は、前記第２のアセットへのアクセスを制限しないことを含む、項目１８に記載の方法。
（項目２０）
前記不一致を検出することは、
メモリから前記第１のアセットと関連する第１の一式の属性を取り出すことと、
複数のアセットの間で、該第１の一式の属性と同様である１つ以上の属性を有する前記第２のアセットを検索することと、
前記第１の動作を、該第２のアセットに関して行われる前記第２の動作と比較することと、
該比較および同様である該１つ以上の属性に基づいて、該第１の動作が該第２の動作と一致しないかどうかを決定することと
を含む、項目１に記載の方法。
（項目２１）
前記第１の動作を前記第２の動作と比較することは、
前記第１のアセットに対する第１のアクセス制限を設定することと、
前記第２のアセットが該第１のアクセス制限と同様のアクセス制限を含むかどうかを決定することと
を含む、項目２０に記載の方法。
（項目２２）
前記第１のアセットおよび前記第２のアセットに対応するアセット制限情報は、それぞれのアセット特性データ構造のフィールドに記憶される、項目２１に記載の方法。
（項目２３）
ウェブサイトと関連するコンピュータに、前記不一致に関するフィードバックがユーザによって提供されることを示す電子通信を伝送することをさらに含む、項目１に記載の方法。
（項目２４）
前記電子通信は、前記ユーザおよび前記第１のアセットを識別する、項目２３に記載の方法。
（項目２５）
前記電子通信は、さらなるフィードバックを提供する選択肢のユーザ選択に応答して、テレビ機器デバイスから伝送される、項目２３に記載の方法。
（項目２６）
前記不一致に関するフィードバックは、テキスト形式で前記ユーザによって前記ウェブサイトに提供される、項目２３に記載の方法。
（項目２７）
第１のユーザ機器デバイスのユーザからメディアアセットに関するフィードバックを受信する方法であって、
コンピュータにおいて、第１の電子通信を受信することであって、該コンピュータは、ウェブサイトと関連し、該第１のユーザ機器デバイスから遠隔にある、ことと、
該第１の電子通信の受信に応答して、該メディアアセットのフィードバックが該ユーザによって提供されることを示すデータを記憶することと、
該ユーザが第２のユーザ機器デバイスで該ウェブサイトにアクセスしたことを検出することと、
該メディアアセットのフィードバックが該ユーザによって提供されることを示すデータが記憶されているかどうかを決定することと、
該決定に応答して、該メディアアセットのフィードバックについて該ユーザを促す第２の電子通信を該第２のユーザ機器デバイスに提供することと、
該第２のユーザ機器デバイスから該メディアアセットのフィードバックを受信することと
を含む、方法。
（項目２８）
前記メディアアセットのフィードバックが前記ユーザによって提供されることを示すデータを記憶することは、フィードバックキューに入力を追加することを含み、該入力は、該メディアアセットのフィードバックが該ユーザによって提供されることを示す該データに対応する情報を含む、項目２７に記載の方法。
（項目２９）
前記ユーザが前記第２のユーザ機器デバイスで前記ウェブサイトにアクセスしたことを検出することは、該第２のユーザ機器デバイスにおいて、メディアアセットのフィードバックを提供する選択肢を表示することを含み、前記方法はさらに、
前記ユーザから、該フィードバックを提供する選択肢の選択を受信することを含む、
項目２７に記載の方法。
（項目３０）
前記メディアアセットのフィードバックが前記ユーザによって提供されることを示すデータが記憶されているかどうかを決定することは、
少なくとも１つの入力が前記フィードバックキューに追加されているかどうかを決定することであって、該少なくとも１つの入力は、該メディアアセットのフィードバックが該ユーザによって提供されることを示す該データに対応する情報を含む、ことと、
該フィードバックキューから該少なくとも１つの入力を取り出すことと
を含む、項目２７に記載の方法。
（項目３１）
前記第１の電子通信は、前記ユーザの識別子と、前記メディアアセットの識別子とを含む、項目２７に記載の方法。
（項目３２）
前記メディアアセットの前記識別子は、前記メディアアセットのタイトルを含む、項目３１に記載の方法。
（項目３３）
前記メディアアセットのフィードバックは、テキスト形式で前記第２のユーザ機器デバイスから受信される、項目２７に記載の方法。
（項目３４）
前記第２の電子通信は、前記メディアアセットのタイトルと、該メディアアセットの承認または不承認の理由を表すフィードバックを前記ユーザから受信するためのフィードバックフィールドとを含む、項目２７に記載の方法。
（項目３５）
前記第２の電子通信は、Ｅメールまたはテキストメッセージである、項目２７に記載の方法。
（項目３６）
前記第２の電子通信は、いずれかまたは両方のアセットを表す写真またはビデオクリップを含む、項目２７に記載の方法。
（項目３７）
前記メディアアセットのフィードバックについて前記ユーザを促すことは、該メディアアセットのフィードバックを要求する視聴者に対する警告を表示することを含む、項目２７に記載の方法。
（項目３８）
前記フィードバックを受信することは、複数のフィードバック選択肢を前記第２のユーザ機器デバイス上で表示することと、該フィードバック選択肢のうちの少なくとも１つを選択することとを含む、項目２７に記載の方法。
（項目３９）
前記フィードバック選択肢のうちの少なくとも１つは、前記ユーザが前記メディアアセットの承認または不承認の理由を表すことを可能にするためのテキスト入力フィールドを含む、項目３８に記載の方法。
（項目４０）
制御回路を備えるシステムであって、
第１のユーザから、第１のメディアアセットへのアクセスを制限する第１の動作を受信することと、
第２のメディアアセットに対して行われる第２の動作を受信することであって、該第２のアセットは、該第１のアセットの属性と同様である１つ以上の属性を有する、ことと、
該第１の動作と該第２の動作との間の不一致を検出することであって、該第１の動作が該第２の動作のアクセス可能性と一致しないことを検出することを含む、ことと、
該第１の動作と該第２の動作との間の該不一致に関して該第１のユーザに警告することと
を行うように、構成される、システム。
（項目４１）
前記制御回路は、いずれかまたは両方のアセットのコンテンツプロバイダ、または、いずれかまたは両方のアセットと関連するスポンサに、前記検出した不一致を報告するようにさらに構成される、項目４０に記載のシステム。
（項目４２）
前記制御回路は、いずれかまたは両方のアセットに関して以前に送信された他のレポートを視認する選択肢を、前記第１のユーザに提供するようにさらに構成される、項目４１に記載のシステム。
（項目４３）
前記第２の動作は、ユーザによって行われる動作である、項目４０に記載のシステム。
（項目４４）
前記第２の動作は、該第１のユーザとは異なる第２のユーザによって行われる動作であり、
前記制御回路はさらに、該第１のユーザと関連する第１のプロファイルを、該第２のユーザと関連する第２のプロファイルと比較するように構成される、  項目４０に記載のシステム。
（項目４５）
前記第２の動作は、利用可能なアセットのデータベースへの前記第２のアセットの追加、または該第２のアセットの１つ以上の属性の修正である、項目４０に記載のシステム。
（項目４６）
前記制御回路は、前記第１の動作を逆転させるように前記第１のユーザを促すようにさらに構成される、項目４０に記載のシステム。
（項目４７）
前記制御回路は、前記第１の動作に起因する変更の適正な一部を取り消すよう前記第１のユーザを促すようにさらに構成される、項目４０に記載のシステム。
（項目４８）
前記制御回路は、前記不一致の理由に関する情報を供給するようユーザを促すようにさらに構成される、項目４０に記載のシステム。
（項目４９）
表示デバイスをさらに備え、前記制御回路は、複数のフィードバック選択肢を該表示デバイス上で表示し、前記フィードバック選択肢のうちの少なくとも１つのユーザ選択を受信するようにさらに構成される、項目４８に記載のシステム。
（項目５０）
前記フィードバック選択肢のうちの少なくとも１つは、前記第１または第２のアセットに関するフィードバックを提供し、該フィードバック選択肢は、猥褻、評定の不正確性または不適切性、少数派または女性にとっての不快、宗教的不寛容、差別、動物虐待、および不道徳に関する選択肢から成る群より選択される、項目４９に記載のシステム。
（項目５１）
前記フィードバック選択肢のうちの少なくとも１つは、前記ユーザが前記第１または第２のアセットに対する評定または副評定を提案することを可能にする、項目４９に記載のシステム。
（項目５２）
前記制御回路は、
ユーザから前記不一致の理由に関する情報を受信し、
いずれかまたは両方のアセットのコンテンツプロバイダ、または、いずれかまたは両方のアセットと関連するスポンサに、該受信した情報を供給するようにさらに構成される、
項目４０に記載のシステム。
（項目５３）
前記制御回路は、前記第１のユーザが、前記第２のアセットへのアクセスを制限することを可能にするように構成される、項目４０に記載のシステム。
（項目５４）
前記第１のアセットの属性と同様である前記第２のアセットの属性は、評定、副評定、ジャンル、シリーズのメンバーシップ、お気に入りのメンバーシップ、ブックマークした状態、タグ付けした状態、ＤＶＲ視聴状態、サービスの種類、チャネル関連性、ウェブサイト関連性、または一般視聴状態である、項目４０に記載のシステム。
（項目５５）
前記第２のアセットの属性は、前記第１のアセットの属性の値と同等である値を有する、項目５４に記載のシステム。
（項目５６）
前記第１のアセットの属性と同様である前記第２のアセットの属性は、該第１のアセットに対して、フィードバックが以前に提供されているかどうかを示す状態である、項目４０に記載のシステム。
（項目５７）
前記第２の動作は、不動作である、項目４０に記載のシステム。
（項目５８）
前記不動作は、前記第２のアセットへのアクセスを制限しないことを含む、項目５７に記載のシステム。
（項目５９）
前記制御回路は、
メモリから前記第１のアセットと関連する第１の一式の属性を取り出すことと、
複数のアセットの間で、該第１の一式の属性と同様である１つ以上の属性を有する前記第２のアセットを検索することと、
前記第１の動作を、前記第２のアセットに関して行われる前記第２の動作と比較することと、
該比較および同様である該１つ以上の属性に基づいて、該第１の動作が該第２の動作と一致しないかどうかを決定することと
を行うようにさらに構成される、項目４０に記載のシステム。
（項目６０）
前記制御回路は、
前記第１のアセットに対する第１のアクセス制限を設定し、
前記第２のアセットが該第１のアクセス制限と同様のアクセス制限を含むかどうかを決定するようにさらに構成される、
項目５９に記載のシステム。
（項目６１）
前記第１のアセットおよび前記第２のアセットに対応するアセット制限情報は、それぞれのアセット特性データ構造のフィールドに記憶される、項目６０に記載のシステム。
（項目６２）
前記制御回路は、ウェブサイトと関連するコンピュータに、前記不一致に関するフィードバックがユーザによって提供されることを示す電子通信を伝送するようにさらに構成される、項目４０に記載のシステム。
（項目６３）
前記電子通信は、前記ユーザおよび前記第１のアセットを識別する、項目６２に記載のシステム。
（項目６４）
前記電子通信は、さらなるフィードバックを提供する選択肢のユーザ選択に応答して、テレビ機器デバイスから伝送される、項目６２に記載のシステム。
（項目６５）
前記不一致に関するフィードバックは、テキスト形式で前記ユーザによって前記ウェブサイトに提供される、項目６２に記載のシステム。
（項目６６）
第１のユーザ機器デバイスのユーザからメディアアセットに関するフィードバックを受信するためのシステムであって、
ウェブサイトと関連し、該第１のユーザ機器デバイスから遠隔にある、コンピュータであって、
第１の電子通信を受信することと、
該第１の電子通信の受信に応答して、該メディアアセットのフィードバックがユーザによって提供されることを示すデータをメモリに記憶することと、
該ユーザが第２のユーザ機器デバイスで該ウェブサイトにアクセスしたことを検出することと、
該メディアアセットのフィードバックが該ユーザによって提供されることを示すデータが該メモリに記憶されているかどうかを決定することと、
該決定に応答して、該メディアアセットのフィードバックについて該ユーザを促す、第２の電子通信を該第２のユーザ機器デバイスに提供することと、
該第２のユーザ機器デバイスから該メディアアセットのフィードバックを受信することと
を行うように構成される、処理回路
を備える、コンピュータ
を備える、システム。
（項目６７）
前記処理回路は、前記メモリの中のフィードバックキューに入力を追加するようにさらに構成され、該入力は、前記メディアアセットのフィードバックが前記ユーザによって提供されることを示す前記データに対応する情報を含む、項目６６に記載のシステム。
（項目６８）
前記第２のユーザ機器デバイスは、表示デバイスと、制御回路とを備え、該制御回路は、メディアアセットのフィードバックを提供する選択肢を該表示デバイス上で表示し、前記ユーザから、該フィードバックを提供する選択肢の選択を受信するようにさらに構成される、項目６６に記載のシステム。
（項目６９）
前記処理回路は、
少なくとも１つの入力が前記メモリの中のフィードバックキューに追加されているかどうかを決定することであって、該少なくとも１つの入力は、前記メディアアセットのフィードバックが前記ユーザによって提供されることを示す前記データに対応する情報を含む、ことと、
該フィードバックキューから該少なくとも１つの入力を取り出すことと
を行うようにさらに構成される、項目６６に記載のシステム。
（項目７０）
前記第１の電子通信は、前記ユーザの識別子と、前記メディアアセットの識別子とを含む、項目６６に記載のシステム。
（項目７１）
前記メディアアセットの前記識別子は、前記メディアアセットのタイトルを含む、項目７０に記載のシステム。
（項目７２）
前記メディアアセットのフィードバックは、テキスト形式で前記第２のユーザ機器デバイスから受信される、項目６６に記載のシステム。
（項目７３）
前記第２の電子通信は、前記メディアアセットのタイトルと、前記メディアアセットの承認または不承認の理由を表すフィードバックを前記ユーザから受信するためのフィードバックフィールドとを含む、項目６６に記載のシステム。
（項目７４）
前記第２の電子通信は、Ｅメールまたはテキストメッセージである、項目６６に記載のシステム。
（項目７５）
前記第２の電子通信は、いずれかまたは両方のアセットを表す写真またはビデオクリップを含む、項目６６に記載のシステム。
（項目７６）
前記第２のユーザ機器デバイスは、表示デバイスと、前記メディアアセットのフィードバックを要求する視聴者に対する警告を該表示デバイス上に表示するように構成される制御回路とを備える、項目６６に記載のシステム。
（項目７７）
前記第２のユーザ機器デバイスは、表示デバイスと、複数のフィードバック選択肢を該表示デバイス上で表示し、該フィードバック選択肢のうちの少なくとも１つの選択を受信するように構成される制御回路とを備える、項目６６に記載のシステム。
（項目７８）
前記フィードバック選択肢のうちの少なくとも１つは、前記ユーザが前記メディアアセットの承認または不承認の理由を表すことを可能にするためのテキスト入力フィールドを含む、項目７７に記載のシステム。
（項目７９）
第１のユーザから、第１のメディアアセットへのアクセスを制限する第１の動作を受信する手段と、
第２のメディアアセットに対して行われる第２の動作を受信する手段であって、該第２のアセットは、該第１のアセットの属性と同様である１つ以上の属性を有する、手段と、
該第１の動作が該第２のアセットのアクセス可能性と一致しないことを検出することによって、該第１の動作と該第２の動作との間の不一致を検出する手段と、
該第１の動作と該第２の動作との間の該不一致に関して該第１のユーザに警告する手段と
を備える、装置。
（項目８０）
いずれかまたは両方のアセットのコンテンツプロバイダ手段、または、いずれかまたは両方のアセットと関連するスポンサ手段に、検出した不一致を報告する手段をさらに備える、項目７９に記載の装置。
（項目８１）
いずれかまたは両方のアセットに関して以前に送信された他のレポートを視認する選択肢を、前記第１のユーザに提供する手段をさらに備える、項目７９に記載の装置。
（項目８２）
前記第２の動作は、ユーザによって行われる動作である、項目７９に記載の装置。
（項目８３）
前記第２の動作は、前記第１のユーザとは異なる第２のユーザによって行われる動作であり、
前記第１の動作と該第２の動作との間の不一致を検出する手段は、該第１のユーザと関連する第１のプロファイルを、第２のユーザと関連する第２のプロファイルと比較することを含む、
項目７９に記載の装置。
（項目８４）
前記第２の動作は、利用可能なアセットのデータベース手段への前記第２のアセットの追加、または該第２のアセットの１つ以上の属性の修正である、項目７９に記載の装置。
（項目８５）
前記第１の動作を逆転させるように前記第１のユーザを促す手段をさらに備える、項目７９に記載の装置。
（項目８６）
前記第１の動作に起因する変更の適正な一部を取り消すように前記第１のユーザを促す手段をさらに備える、項目７９に記載の装置。
（項目８７）
前記不一致の理由に関する情報を供給するようにユーザを促す手段をさらに備える、項目７９に記載の装置。
（項目８８）
前記情報を供給するようにユーザを促す手段は、複数のフィードバック選択肢を表示する手段を備え、前記装置はさらに、該フィードバック選択肢のうちの少なくとも１つのユーザ選択を受信する手段を備える、項目８７に記載の装置。
（項目８９）
前記フィードバック選択肢のうちの少なくとも１つは、前記第１または第２のアセットに関するフィードバックを提供し、該フィードバック選択肢は、猥褻、評定の不正確性または不適切性、少数派または女性にとっての不快、宗教的不寛容、差別、動物虐待、および不道徳に関する選択肢から成る群より選択される、項目８８に記載の装置。
（項目９０）
前記フィードバック選択肢のうちの少なくとも１つは、前記ユーザが前記第１または第２のアセットに対する評定または副評定を提案することを可能にする、項目８８に記載の装置。
（項目９１）
ユーザから前記不一致の理由に関する情報を受信する手段と、
いずれかまたは両方のアセットのコンテンツプロバイダ手段、または、いずれかまたは両方のアセットと関連するスポンサ手段に、該受信した情報を供給する手段と
をさらに備える、項目７９に記載の装置。
（項目９２）
前記第１のユーザが前記第２のアセットへのアクセスを制限することを可能にする手段を含む、項目７９に記載の装置。
（項目９３）
前記第１のアセットの属性と同様である前記第２のアセットの属性は、評定、副評定、ジャンル、シリーズのメンバーシップ、お気に入りのメンバーシップ、ブックマークした状態、タグ付けした状態、ＤＶＲ視聴状態、サービスの種類、チャネル関連性、ウェブサイト関連性、または一般視聴状態である、項目７９に記載の装置。
（項目９４）
前記第２のアセットの属性は、前記第１のアセットの属性の値と同等である値を有する、項目９３に記載の装置。
（項目９５）
前記第１のアセットの属性と同様である前記第２のアセットの属性は、前記第１のアセットに対して、フィードバックが以前に提供されているかどうかを示す状態である、項目７９に記載の装置。
（項目９６）
前記第２の動作は、不動作である、項目７９に記載の装置。
（項目９７）
前記不動作は、前記第２のアセットへのアクセスを制限しないことを含む、項目９６に記載の装置。
（項目９８）
前記不一致を検出する手段は、
メモリ手段から前記第１のアセットと関連する第１の一式の属性を取り出す手段と、
複数のアセットの間で、該第１の一式の属性と同様である１つ以上の属性を有する前記第２のアセットを検索する手段と、
前記第１の動作を、該第２のアセットに関して行われる前記第２の動作と比較する手段と、
該比較および該同様である１つ以上の属性に基づいて、該第１の動作が該第２の動作と一致しないかどうかを決定する手段と、
を備える、項目７９に記載の装置。
（項目９９）
前記第１の動作を該第２の動作と比較する手段は、
前記第１のアセットに対する第１のアクセス制限を設定する手段と、
前記第２のアセットが該第１のアクセス制限と同様のアクセス制限を含むかどうかを決定する手段と、
を備える、項目９８に記載の装置。
（項目１００）
前記第１のアセットおよび前記第２のアセットに対応するアセット制限情報は、それぞれのアセット特性データ構造のフィールドに記憶される、項目９８に記載の装置。
（項目１０１）
ウェブサイトと関連するコンピュータに、前記不一致に関するフィードバックがユーザによって提供されることを示す電子通信を伝送する手段をさらに含む、項目７９に記載の装置。
（項目１０２）
前記電子通信は、前記ユーザおよび前記第１のアセットを識別する、項目１０１に記載の装置。
（項目１０３）
前記電子通信は、さらなるフィードバックを提供する選択肢のユーザ選択に応答して、テレビ機器デバイス手段から伝送される、項目１０２に記載の装置。
（項目１０４）
前記不一致に関するフィードバックは、テキスト形式で前記ユーザによって前記ウェブサイトに提供される、項目１０２に記載の装置。
（項目１０５）
第１のユーザ機器デバイス手段のユーザからメディアアセットに関するフィードバックを受信するための装置であって、
コンピュータ手段において、第１の電子通信を受信する手段であって、該コンピュータ手段は、ウェブサイトと関連し、該第１のユーザ機器デバイス手段から遠隔にある、手段と、
該第１の電子通信の受信に応答して、該メディアアセットのフィードバックがユーザによって提供されることを示すデータを記憶する手段と、
該ユーザが第２のユーザ機器デバイス手段で該ウェブサイトにアクセスしたことを検出する手段と、
該メディアアセットのフィードバックが該ユーザによって提供されることを示すデータが記憶されているかどうかを決定する手段と、
該決定に応答して、該メディアアセットのフィードバックについて該ユーザを促す、第２の電子通信を該第２のユーザ機器デバイス手段に提供する手段と、
該第２のユーザ機器デバイス手段から該メディアアセットのフィードバックを受信する手段と
を備える、装置。
（項目１０６）
前記メディアアセットのフィードバックが前記ユーザによって提供されることを示すデータを記憶する手段は、フィードバックキュー手段に入力を追加することを含み、該入力は、該メディアアセットのフィードバックが該ユーザによって提供されることを示す該データに対応する情報を含む、項目１０５に記載の装置。
（項目１０７）
前記ユーザが第２のユーザ機器デバイス手段で前記ウェブサイトにアクセスしたことを検出する手段は、前記第２のユーザ機器デバイス手段において、メディアアセットのフィードバックを提供する選択肢を表示する手段を備え、前記装置は、
該ユーザから、該フィードバックを提供する選択肢の選択を受信する手段をさらに備える、
項目１０５に記載の装置。
（項目１０８）
前記メディアアセットのフィードバックが前記ユーザによって提供されることを示すデータが記憶されているかどうかを決定する手段は、
少なくとも１つの入力がフィードバックキュー手段に追加されているかどうかを決定する手段であって、該少なくとも１つの入力は、該メディアアセットのフィードバックが該ユーザによって提供されることを示す該データに対応する情報を含む、手段と、
該フィードバックキュー手段から該少なくとも１つの入力を取り出す手段と
を備える、項目１０５に記載の装置。
（項目１０９）
前記第１の電子通信は、前記ユーザの識別子と、前記メディアアセットの識別子とを含む、項目１０５に記載の装置。
（項目１１０）
前記メディアアセットの前記識別子は、前記メディアアセットのタイトルを含む、項目１０９に記載の装置。
（項目１１１）
前記メディアアセットのフィードバックは、テキスト形式で前記第２のユーザ機器デバイスから受信される、項目１０５に記載の装置。
（項目１１２）
前記第２の電子通信は、前記メディアアセットのタイトルと、該メディアアセットの承認または不承認の理由を表すフィードバックを前記ユーザから受信するためのフィードバックフィールドとを含む、項目１０５に記載の装置。
（項目１１３）
前記第２の電子通信は、Ｅメールまたはテキストメッセージである、項目１０５に記載の装置。
（項目１１４）
前記第２の電子通信は、いずれかまたは両方のアセットを表す写真またはビデオクリップを含む、項目１０５に記載の装置。
（項目１１５）
前記メディアアセットのフィードバックについて前記ユーザを促す手段は、該メディアアセットの該フィードバックを要求する視聴者に対する警告を表示する手段を含む、項目１０５に記載の装置。
（項目１１６）
前記フィードバックを受信する手段は、複数のフィードバック選択肢を前記第２のユーザ機器デバイス手段上で表示することと、該フィードバック選択肢のうちの少なくとも１つを選択することとを含む、項目１０５に記載の装置。
（項目１１７）
前記フィードバック選択肢のうちの少なくとも１つは、前記ユーザが前記メディアアセットの承認または不承認の理由を表すことを可能にするためのテキスト入力フィールドを含む、項目１１６に記載の装置。